(57)【要約】【課題】製造作業が容易でかつ、リモコンの操作部の近傍を均一に発光させることが可能なリモコン装置を提供する。【解決手段】リモコン装置は、リング発光部２１を有する防水操作シート２０と、透光性を有する光拡散ボタン４０と、タクトスイッチ５１およびタクトスイッチ５１により発光状態が制御されるＬＥＤ５２を含む基板５０とを備える。光拡散ボタン４０は、当接部４１と、防止操作シート２０に与えられる押圧操作をタクトスイッチ５１に伝達するスイッチ押込部４３と、当接部４１から基板５０側に突出し、スイッチ押込部４３との間で内部空間４４を構成するようにスイッチ押込部４３の外周を取り囲む筒状外壁４２とを含む。リモコン装置は、ＬＥＤ５２より発生する光が内部空間４４に拡散した後、光拡散ボタン４０の内部を通過してリング発光部２１まで導かれるように構成されている。【選択図】図２
2015141779.tif 000002
【特許請求の範囲】
【請求項１】
透光部を有する操作パネルと、
前記操作パネルの厚み方向から見たときに前記透光部と重なるように配置され、透光性を有する操作ボタンと、
前記厚み方向から見たときに前記操作ボタンと重なるように配置され、スイッチおよび前記スイッチにより発光状態が制御される発光部を含む基板とを備え、
前記操作ボタンは、
前記厚み方向から見たときに前記透光部と重なるように配置される当接部と、
前記当接部から前記基板側に突出し、前記操作パネルに与えられる押圧操作を前記スイッチに伝達する伝達部と、
前記当接部から前記基板側に突出し、前記伝達部との間で内部空間を構成するように前記伝達部の外周を取り囲む筒状壁部とを含み、
前記発光部より発生する光が前記内部空間に拡散した後、前記操作ボタンの内部を通過して前記透光部まで導かれるように構成されている、リモコン装置。
【請求項２】
前記当接部は、
前記透光部側に位置する面と、
前記内部空間側に位置し、前記透光部側に位置する前記面に対して傾斜する傾斜面とを有し、
前記内部空間に拡散した前記光が前記傾斜面において屈折した後、前記当接部の内部を通過して前記透光部まで導かれるように構成されている、請求項１に記載のリモコン装置。
【請求項３】
前記発光部は、前記厚み方向に沿った断面において前記透光部よりも内周側に位置し、
前記傾斜面は、前記厚み方向に沿った断面において前記当接部の厚みが内周側から外周側に向かって大きくなるように傾斜している、請求項２に記載のリモコン装置。
【請求項４】
前記操作ボタンには光拡散材が配合されている、請求項１〜３のいずれか１項に記載のリモコン装置。
【発明の詳細な説明】
【技術分野】
【０００１】
本発明はリモコン装置に関し、より特定的には、製造作業が容易でかつ、リモコンの操作部の近傍を均一に発光させることが可能なリモコン装置に関する。
【背景技術】
【０００２】
給湯装置用リモコン装置はたとえば浴室や居間の壁面に設置され、給湯装置の運転状態を遠隔操作するために用いられる。この給湯装置用リモコン装置の例として、たとえば特開２００５−３０２３５７号公報（特許文献１）には、リモコン装置の操作ボタンを発光ダイオードの光によって照らしたものが記載されている。また、操作ボタンの周囲をリング状に発光させるためのリモコン装置の構造としては、ＬＥＤ（Ｌｉｇｈｔ  Ｅｍｉｔｔｉｎｇ  Ｄｉｏｄｅ）ライトガイドなどの導光部材を操作ボタンの周囲を沿わせるように配置したものもある。
【先行技術文献】
【特許文献】
【０００３】
【特許文献１】特開２００５−３０２３５７号公報
【発明の概要】
【発明が解決しようとする課題】
【０００４】
上述のように操作ボタンの周囲に導光部材を沿わせるように配置したリモコン装置では、給湯装置の浴室リモコンのように防水性能を確保しようとすると構造が複雑化し、製造作業が困難になるという問題があった。また、従来のリモコン装置では、操作ボタンの周囲をムラなく均一に発光させることも困難であった。
【０００５】
本発明は、上記課題に鑑みてなされたものであり、その目的は、製造作業が容易でかつ、リモコンの操作部の近傍を均一に発光させることが可能なリモコン装置を提供することである。
【課題を解決するための手段】
【０００６】
本発明に従ったリモコン装置は、透光部を有する操作パネルと、操作パネルの厚み方向から見たときに透光部と重なるように配置され、透光性を有する操作ボタンと、上記厚み方向から見たときに操作ボタンと重なるように配置され、スイッチおよびスイッチにより発光状態が制御される発光部を含む基板とを備えている。操作ボタンは、上記厚み方向から見たときに透光部と重なるように配置される当接部と、当接部から基板側に突出し、操作パネルに与えられる押圧操作をスイッチに伝達する伝達部と、当接部から基板側に突出し、伝達部との間で内部空間を構成するように伝達部の外周を取り囲む筒状壁部とを含んでいる。上記リモコン装置は、発光部より発生する光が上記内部空間に拡散した後、操作ボタンの内部を通過して透光部まで導かれるように構成されている。
【０００７】
本発明に従ったリモコン装置では、発光部で発生した光が操作ボタンの内部空間において拡散した後、操作ボタンの内部を通過することで当該操作ボタンを均一に発光させることができる。また操作ボタンの内部を通過した光を当該操作ボタンと重なるように位置する操作パネルの透光部から取り出すことができるため、リモコン装置において操作部の近傍を均一に発光させることができる。また上記リモコン装置では、操作ボタンの周囲に導光部材を沿わせた構造を有する従来のリモコン装置に比べて構造がより簡易化されているため、防水性能を確保しようとした場合でも製造作業を容易に行うことができる。したがって、本発明に従ったリモコン装置によれば、製造作業が容易でかつ、リモコンの操作部の近傍を均一に発光させることが可能なリモコン装置を提供することができる。
【０００８】
上記リモコン装置において、当接部は、透光部側に位置する面と、上記内部空間側に位置し、透光部側に位置する上記面に対して傾斜する傾斜面とを有していてもよい。また、上記リモコン装置は、上記内部空間に拡散した光が上記傾斜面において屈折した後、当接部の内部を通過して透光部まで導かれるように構成されていてもよい。これにより、発光部で発生させた光を操作パネルの透光部までより容易に導光することができる。
【０００９】
上記リモコン装置において、発光部は、上記厚み方向に沿った断面において透光部よりも内周側に位置していてもよい。また、上記傾斜面は、上記厚み方向に沿った断面において当接部の厚みが内周側から外周側に向かって大きくなるように傾斜していてもよい。これにより、発光部で発生させた光を上記傾斜面において外周側に屈折させた後、当該発光部よりも外周側に位置する透光部まで容易に導光することができる。
【００１０】
上記リモコン装置において、操作ボタンには光拡散材が配合されていてもよい。これにより、発光部で発生させた光を操作ボタンの内部においてより均一に拡散させることができる。その結果、操作ボタン全体をより均一に発光させることができる。
【発明の効果】
【００１１】
以上の説明から明らかなように、本発明に従ったリモコン装置によれば、製造作業が容易でかつ、リモコンの操作部の近傍を均一に発光させることが可能なリモコン装置を提供することができる。
【図面の簡単な説明】
【００１２】
【図１】本発明の実施の形態１に係るリモコン装置の構造を示す概略斜視図である。
【図２】図１中の線分ＩＩ−ＩＩに沿った断面を概略的に示す斜視図である。
【図３】本発明の実施の形態１に係るリモコン装置においてスイッチ部の周辺の構造を概略的に示す分解斜視図である。
【図４】本発明の実施の形態１に係るリモコン装置において発光部で発生した光が透光部まで導光される様子を示す概略断面図である。
【図５】本発明の実施の形態２に係るリモコン装置において発光部で発生した光が透光部まで導光される様子を示す概略断面図である。
【図６】本発明の実施の形態３に係るリモコン装置において発光部で発生した光が透光部まで導光される様子を示す概略断面図である。
【発明を実施するための形態】
【００１３】
以下、図面に基づいて本発明の実施の形態を説明する。なお、以下の図面において同一または相当する部分には同一の参照番号を付し、その説明は繰返さない。
【００１４】
（実施の形態１）
まず、本発明の実施の形態１に係るリモコン装置１の構造について図１を参照しつつ説明する。リモコン装置１は給湯装置用リモコンであって、たとえば浴室の壁面などに設置されて給湯装置（図示しない）の運転を遠隔操作するために用いられる。リモコン装置１は前面１０ａを含む筐体１０を備え、当該筐体１０は前面１０ａの正面視において長方形状を有する。なお、図１中左下に示すように、本明細書中では筐体１０の長辺方向をｘ方向とし、短辺方向をｙ方向とし、厚み方向をｚ方向とする。
【００１５】
筐体１０の前面１０ａには、画像表示部１１と、複数のボタン部１２と、スイッチ部１３と、蓋部１４と、音声部１５とが設けられている。画像表示部１１は前面１０ａの正面視において長方形状を有し、前面１０ａの中央部からｙ方向プラス側に設けられている。画像表示部１１はたとえば給湯温度や風呂温度などの情報を表示する部分であり、当該画像表示部１１の背面には液晶ディスプレイや有機ＥＬ（Ｅｌｅｃｔｒｏ  Ｌｕｍｉｎｅｓｃｅｎｃｅ）ディスプレイなどの画像表示装置が設置される。
【００１６】
ボタン部１２は前面１０ａの中央部においてｘ方向に並んで設けられている。ボタン部１２は図１に示すように５つ設けられてもよいが、その設置数は特に限定されない。ボタン部１２の近傍にはボタン発光部１２ａが設けられており、当該ボタン発光部１２ａの発光状態によりボタン部１２の入力状態が確認される。
【００１７】
スイッチ部１３はたとえば円形状を有し、画像表示部１１のｘ方向マイナス側に設けられている。スイッチ部１３の周りにはリング発光部２１が設けられており、当該リング発光部２１の発光状態によりスイッチ部１３の入力状態が確認される。ボタン部１２およびスイッチ部１３は給湯装置の各種運転動作を行うためのものであり、たとえば給湯装置の運転入力スイッチ、お湯張りスイッチあるいは追い焚き用スイッチなどである。スイッチ部１３の形状は円形状に限定されず、たとえば四角形状や他の形状であってもよい。なお、スイッチ部１３を含む領域Ａにおけるリモコン装置１の構造は後に詳述する。
【００１８】
蓋部１４は前面１０ａの中央部よりｙ方向マイナス側に設けられている。蓋部１４は、図１中矢印に示すようにヒンジ部１６を中心に開閉可能に構成されている。音声部１５は画像表示部１１のｘ方向プラス側に設けられている。音声部１５は、リモコン装置１の操作に対応して筐体１０内のスピーカ（図示しない）から発生する音声が出力される部分である。
【００１９】
次に、上記本実施の形態に係るリモコン装置１におけるスイッチ部１３の周辺の構造について図２および図３を参照しつつ説明する。図２は、図１中の線分ＩＩ−ＩＩに沿う断面構造を示している。図３は、図１中の領域Ａにおいてリモコン装置１が厚み方向（ｚ方向）に分解された状態を示している。
【００２０】
図２および図３を参照して、リモコン装置１は、防水操作シート２０（操作パネル）と、リモコンカバー３０と、光拡散ボタン４０（操作ボタン）と、基板５０とを主に有している。基板５０の主面５０ａ上にはタクトスイッチ５１と、複数（２つ）の発光ダイオード（ＬＥＤ）５２（発光部）とが配置されている。ＬＥＤ５２は、タクトスイッチ５１により発光状態が制御される。ＬＥＤ５２はタクトスイッチ５１の周囲に配置されており、より具体的にはタクトスイッチ５１を両側から挟むように配置されている。ＬＥＤ５２の設置数は２以上であることが好ましいが、特に限定されない。またＬＥＤ５２の発光色はユーザが視認し易いものであることが好ましいが、特に限定されない。
【００２１】
基板５０はリモコンカバー３０の内部に取り付けられている。リモコンカバー３０には、略円形状を有するとともに厚み方向に貫通する穴部３１が設けられている。光拡散ボタン４０は当該穴部３１内に嵌め込まれている。これにより、光拡散ボタン４０は、厚み方向において基板５０と重なるように配置される。
【００２２】
光拡散ボタン４０は、円板状の当接部４１と、当接部４１の外縁部に沿って設けられた筒状外壁４２（筒状壁部）と、当接部４１の中央部から基板５０側に突出するように設けられたスイッチ押込部４３（伝達部）とを含んでいる。光拡散ボタン４０は、たとえばアクリル樹脂などの材質からなり、透光性を有している。より具体的には、当接部４１、筒状外壁４２およびスイッチ押込部４３のいずれの部分も透光性を有している。また「透光性」とは、可視光に対して一定以上の透過率を有する性質を意味する。つまり、光拡散ボタン４０に可視光が入射された場合、当該光拡散ボタン４０内を通過して出射された可視光（透過光）を視認することができる。光拡散ボタン４０にはたとえば炭酸カルシウムなどの微粒子からなる光拡散材が配合されているため、光拡散ボタン４０は光拡散性を有している。上記光拡散材の配合率はたとえば０．１質量％である。これにより、光拡散ボタン４０は空気やリモコンカバー３０などと比べてより高い光拡散性を有している。
【００２３】
当接部４１は、基板５０の主面５０ａに沿った上面４１ａと、上面４１ａに対して傾斜する傾斜面４１ｂとを有している。これにより、当接部４１は厚み方向に沿った断面（図２）において内周側から外周側に向かって厚みが大きくなっている。傾斜面４１ｂが上面４１ａに対して成す角度はたとえば３０°であり、光拡散ボタン４０の材質の屈折率やＬＥＤ５２とリング発光部２１との位置関係などに基づいて決定される。
【００２４】
スイッチ押込部４３は、防水操作シート２０に対して与えられる押圧操作をタクトスイッチ５１に伝達して当該タクトスイッチ５１を押し込むための部分である。スイッチ押込部４３はタクトスイッチ５１の上方に位置している。筒状外壁４２はスイッチ押込部４３を取り囲むように形成されており、内周側の領域に内部空間４４を有している。筒状外壁４２は、厚み方向に沿った断面においてＬＥＤ５２よりも外周側に位置している。また傾斜面４１ｂの傾きにより、内部空間４４は内周側から外周側に向かって体積がより小さくなる。
【００２５】
防水操作シート２０は、円形状を有するスイッチ部１３と当該スイッチ部１３の周囲を取り囲む環状のリング発光部２１（透光部）とを有している。スイッチ部１３はリモコン装置１の操作時に押圧操作が与えられる部分である。リング発光部２１は透光性を有し、当該リング発光部２１以外の部分よりも光の透過率が高くなっている。リング発光部２１は、厚み方向に沿った断面においてＬＥＤ５２よりも外周側に位置している。
【００２６】
防水操作シート２０は防水機能を有するものであり、リモコンカバー３０および光拡散ボタン４０の上面３０ａ，４１ａに貼り付けられている。これにより、リモコンカバー３０内への水の侵入を抑制することが可能となり、リモコン装置１の防水性能を確保することができる。
【００２７】
防水操作シート２０は、スイッチ部１３およびリング発光部２１が厚み方向において光拡散ボタン４０（当接部４１）と重なるように貼り付けられている。これにより、スイッチ部１３への押圧操作が光拡散ボタン４０（スイッチ押込部４３）を介してタクトスイッチ５１に伝達され、ＬＥＤ５２の発光状態が制御される。
【００２８】
次に、上記リモコン装置１の動作について図４を参照しつつ説明する。図４は、図２と同様に図１中の線分ＩＩ−ＩＩに沿う断面構造を示している。まず、防水操作シート２０のスイッチ部１３に対してユーザから押圧操作が与えられる。これにより、スイッチ部１３の下方に位置する光拡散ボタン４０が押し込まれ、スイッチ押込部４３によりタクトスイッチ５１が押し込まれる。そして、ＬＥＤ５２から所定波長の可視光が発生する。
【００２９】
ＬＥＤ５２から発生した光は、図中矢印に示すように内部空間４４内に拡散して傾斜面４１ｂにまで到達する。そして、傾斜面４１ｂにおいて外周側に向けて屈折し、光拡散ボタン４０（当接部４１）の内部を進行する。このとき、光拡散ボタン４０の内部において光が拡散する。その後、リング発光部２１まで導かれた光が防水操作シート２０の上側から取り出される。これにより、リング発光部２１の発光状態によってスイッチ部１３の入力状態をユーザが視認することができる。また上記動作を再度実施することによりスイッチ部１３の入力がオフとなり、ＬＥＤ５２の発光が停止する。
【００３０】
次に、上記本実施形態に係るリモコン装置１の特徴的な構成およびその作用効果について説明する。リモコン装置１は、リング発光部２１（透光部）を有する防水操作シート２０（操作パネル）と、防水操作シート２０の厚み方向から見たときにリング発光部２１と重なるように配置され、透光性を有する光拡散ボタン４０（操作ボタン）と、上記厚み方向から見たときに光拡散ボタン４０と重なるように配置され、タクトスイッチ５１およびタクトスイッチ５１により発光状態が制御されるＬＥＤ５２（発光部）を含む基板５０とを備えている。光拡散ボタン４０は、上記厚み方向から見たときにリング発光部２１と重なるように配置される当接部４１と、当接部４１から基板５０側に突出し、防水操作シート２０に与えられる押圧操作をタクトスイッチ５１に伝達するスイッチ押込部４３（伝達部）と、当接部４１から基板５０側に突出し、スイッチ押込部４３との間で内部空間４４を構成するようにスイッチ押込部４３の外周を取り囲む筒状外壁４２（筒状壁部）とを含んでいる。リモコン装置１は、ＬＥＤ５２より発生する光が内部空間４４に拡散した後、光拡散ボタン４０の内部を通過してリング発光部２１まで導かれるように構成されている。
【００３１】
上記リモコン装置１では、ＬＥＤ５２で発生した光が内部空間４４において拡散した後、光拡散ボタン４０内に入射して拡散することにより、当該光拡散ボタン４０を均一に発光させることができる。また、光拡散ボタン４０内を通過した光をリング発光部２１から取り出すことができるため、スイッチ部１３の近傍を均一に発光させることができる。また上記リモコン装置１では、光拡散ボタン４０の周囲に導光部材を沿わせた構造を有するリモコン装置に比べて構造がより簡易化されているため、防水性能が確保された構造を採用した場合でも製造作業を容易に行うことができる。このように上記リモコン装置１は、製造作業が容易でかつ、スイッチ部１３の近傍を均一に発光させることが可能なものとなっている。
【００３２】
また上記リモコン装置１において、当接部４１は、リング発光部２１側に位置する上面４１ａと、内部空間４４側に位置し、上面４１ａに対して傾斜する傾斜面４１ｂとを有していてもよい。また上記リモコン装置１は、内部空間４４に拡散した光が傾斜面４１ｂにおいて屈折した後、当接部４１の内部を通過してリング発光部２１まで導かれるように構成されていてもよい。これにより、ＬＥＤ５２で発生させた光を防水操作シート２０のリング発光部２１までより容易に導光することができる。
【００３３】
また上記リモコン装置１において、ＬＥＤ５２は、厚み方向に沿った断面（図２）においてリング発光部２１よりも内周側に位置していてもよい。また傾斜面４１ｂは、上記厚み方向に沿った断面において当接部４１の厚みが内周側から外周側に向かって大きくなるように傾斜していてもよい。これにより、ＬＥＤ５２で発生させた光を傾斜面４１ｂにおいて外周側に屈折させた後、ＬＥＤ５２よりも外周側に位置するリング発光部２１まで容易に導光することができる。
【００３４】
また上記リモコン装置１において、光拡散ボタン４０には光拡散材が配合されていてもよい。これにより、ＬＥＤ５２で発生させた光を光拡散ボタン４０の内部においてより均一に拡散させることができる。その結果、光拡散ボタン４０全体をより均一に発光させることができる。
【００３５】
（実施の形態２）
次に、本発明の実施の形態２に係るリモコン装置２の構造について図５を参照しつつ説明する。本実施の形態に係るリモコン装置２は、基本的に上記リモコン装置１と同様の構成を備え、かつ同様の効果を奏する。しかし、本実施の形態では光拡散ボタンの構造において上記実施の形態１とは異なっている。
【００３６】
図５は、図４と同様に図１中の線分ＩＩ−ＩＩに沿った断面構造を示している。光拡散ボタン６０は、上記実施の形態１の場合と同様に当接部６１と、筒状外壁６２と、スイッチ押込部６３とを含んでいる。当接部６１は上面６１ａと傾斜面６１ｂとを有している。本実施の形態では、傾斜面６１ｂは、厚み方向に沿った断面において内周側から外周側に向かって当接部６１の厚みが小さくなるように傾斜している。そのため、筒状外壁６２の内周側に形成される内部空間６４は、内周側から外周側に向かってより広くなる。また防水操作シート２０は、上記実施の形態１と同様にリング発光部２１を有し、光拡散ボタン６０およびリモコンカバー３０の上面６１ａ，３０ａ上に貼り付けられている。本実施の形態では、リング発光部２１は、厚み方向に沿った断面においてＬＥＤ５２よりも内周側に位置している。
【００３７】
上記リモコン装置２では、上記実施の形態１と同様に防水操作シート２０のスイッチ部１３に対して押圧操作が与えられることでＬＥＤ５２から光が発生し、当該光が内部空間６４を拡散して傾斜面６１ｂに到達する。本実施形態では、傾斜面６１ｂにおいて内周側に向けて光が屈折し、光拡散ボタン６０（当接部６１）内を進行する。その後、リング発光部２１まで導かれた光が防水操作シート２０の上側から取り出される。これにより、上記実施の形態１の場合と同様にリング発光部２１の発光状態によってスイッチ部１３の入力状態を確認することができる。
【００３８】
（実施の形態３）
次に、本発明の実施の形態３に係るリモコン装置３の構造について図６を参照しつつ説明する。本実施の形態に係るリモコン装置３は、基本的に上記リモコン装置１と同様の構成を備え、かつ同様の効果を奏する。しかし、本実施の形態では光拡散ボタンの構造において上記実施の形態１とは異なっている。
【００３９】
図６は、図４および図５と同様に図１中の線分ＩＩ−ＩＩに沿った断面構造を示している。光拡散ボタン７０は、上記実施の形態１の場合と同様に当接部７１と、筒状外壁７２と、スイッチ押込部７３とを含んでいる。本実施の形態では、当接部７１は、上面７１ａと、上面７１ａに沿った下面７１ｂとを有している。そのため、当接部７１は、厚み方向に沿った断面において内周側から外周側に向かって厚みが一定に維持されている。防水操作シート２０は、上記実施の形態１と同様にリング発光部２１を有し、光拡散ボタン７０およびリモコンカバー３０の上面７１ａ，３０ａ上に貼り付けられている。本実施の形態では、リング発光部２１は厚み方向においてＬＥＤ５２と重なるように位置している。そのため、本実施の形態では、ＬＥＤ５２から発生して下面７１ｂに到達した光が光拡散ボタン７０（当接部７１）内を直進する。このとき、上記実施の形態１および２の場合と比べて下面７１ｂにおける光の屈折がより小さくなる。そして、リング発光部２１まで導かれた光が防水操作シート２０の上側から取り出される。これにより、上記実施の形態１および２の場合と同様にリング発光部２１の発光状態によってスイッチ部１３の入力状態を確認することができる。
【００４０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００４１】
本発明のリモコン装置は、製造作業の簡易化や、リモコンの操作部の近傍を均一に発光させることが要求されるリモコン装置において、特に有利に適用され得る。
【符号の説明】
【００４２】
１，２，３  リモコン装置、１０  筐体、１０ａ  前面、１１  画像表示部、１２  ボタン部、１２ａ  ボタン発光部、１３  スイッチ部、１４  蓋部、１５  音声部、１６  ヒンジ部、２０  防水操作シート、２１  リング発光部、３０  リモコンカバー、３０ａ，４１ａ，６１ａ，７１ａ  上面、３１  穴部、４０，６０，７０  光拡散ボタン、４１，６１，７１  当接部、４１ｂ，６１ｂ  傾斜面、４２，６２，７２  筒状外壁、４３，６３，７３  スイッチ押込部、４４，６４  内部空間、５０  基板、５０ａ  主面、５１  タクトスイッチ、７１ｂ  下面、Ａ  領域。
【図１】
2015141779.tif 000003
【図２】
2015141779.tif 000004
【図３】
2015141779.tif 000005
【図４】
2015141779.tif 000006
【図５】
2015141779.tif 000007
【図６】
2015141779.tif 000008